(57)【要約】【課題】浴室に画像をその室外から投影する場合において、良好な画像を投影する。【解決手段】浴室１００は、浴室１００を画定する天井材１０２の裏側に配置され、且つ、天井材１０２に設けられた開口１０２ａを介して浴室内に投影光を出射するプロジェクタ１２と、天井材１０２の開口１０２ａを塞ぎ、プロジェクタ１２の投影光が透過するカバー部材１６と、天井材１０２に組み込まれ、浴室１００に送風して該浴室を乾燥させる浴室乾燥機５０とを有する。浴室乾燥機５０が、カバー部材１６の浴室内側表面１６ａに送風可能に構成されている。【選択図】図４
2018066242.tif 000002
【特許請求の範囲】
【請求項１】
浴室を画定する天井材または壁材の裏側に配置され、且つ、天井材または壁材に設けられた開口を介して浴室内に投影光を出射するプロジェクタと、
天井材または壁材の開口を塞ぎ、プロジェクタの投影光が透過するカバー部材と、
天井材または壁材に組み込まれ、浴室に送風して該浴室を乾燥させる浴室乾燥機と、を有し、
浴室乾燥機が、カバー部材の浴室内側表面に送風可能に構成されている、浴室。
【請求項２】
カバー部材と浴室乾燥機とが天井材に設けられ、
浴室乾燥機が、カバー部材に向かうように、且つ、天井材の浴室内側表面に沿うように送風する、請求項１に記載の浴室。
【請求項３】
カバー部材と浴室乾燥機を除く天井材に設けられた構造物が該カバー部材と浴室乾燥機との間に存在しないように、カバー部材と浴室乾燥機が天井材に設けられている、請求項２に記載の浴室。
【請求項４】
天井材の浴室内側表面における少なくともカバー部材と浴室乾燥機との間の部分が、平滑面である、請求項２または３に記載の浴室。
【請求項５】
カバー部材の浴室内側表面が、水平に対して鋭角な角度で傾斜し、浴室乾燥機から近い側の縁部に比べて遠い側の縁部が下方に位置する傾斜面である、請求項２から４のいずれか一項に記載の浴室。
【請求項６】
カバー部材の浴室内側表面が、撥水膜を備える、請求項１から５のいずれか一項に記載の浴室。
【発明の詳細な説明】
【技術分野】
【０００１】
本発明は、画像を投影する画像投影装置を備える浴室に関する。
【背景技術】
【０００２】
従来より、例えば特許文献１に記載するように、高温多湿の浴室の壁面に画像を投影する画像投影装置が知られている。この画像投影装置は、浴室の壁に組み込まれた透明防水カバーを介して、浴室外から浴室内の壁面に画像を投影する。また、透明防水カバーの浴室内側表面に付着した結露（水）を除去するまたは結露の発生を抑制するために、画像投影装置からの排気をダクトを介して透明防水カバーの浴室内側表面または浴室外側表面に噴出するように構成されている。
【先行技術文献】
【特許文献】
【０００３】
【特許文献１】特開２００２−２７１７１６号公報
【発明の概要】
【発明が解決しようとする課題】
【０００４】
上述の特許文献１の場合、画像投影装置からの排気を透明防水カバーに噴出しても、その排気量（熱量）が足らず、透明防水カバーに発生した結露を十分に除去できないまたはその発生を十分に抑制できない可能性がある。その結果、浴室外から浴室内に良好な画像を投影することができない可能性がある。
【０００５】
そこで、本発明は、浴室に画像をその室外から投影する場合において、良好な画像を投影することを課題とする。
【課題を解決するための手段】
【０００６】
上記技術的課題を解決するために、本発明の一態様によれば、
浴室を画定する天井材または壁材の裏側に配置され、且つ、天井材または壁材に設けられた開口を介して浴室内に投影光を出射するプロジェクタと、
天井材または壁材の開口を塞ぎ、プロジェクタの投影光が透過するカバー部材と、
天井材または壁材に組み込まれ、浴室に送風して該浴室を乾燥させる浴室乾燥機と、を有し、
浴室乾燥機が、カバー部材の浴室内側表面に送風可能に構成されている、浴室が提供される。
【発明の効果】
【０００７】
本発明によれば、浴室に画像をその室外から投影する場合において、良好な画像を投影することができる。
【図面の簡単な説明】
【０００８】
【図１】本発明の一実施の形態に係る浴室を概略的に示す図
【図２】本発明の一実施の形態に係る画像投影システムの概略的部分断面図
【図３】停止中の浴室乾燥機の構成を概略的に示す断面図
【図４】運転中の浴室乾燥機の構成を概略的に示す断面図
【図５】浴室乾燥機とカバー部材との位置関係を説明するための参考図
【図６】別の実施の形態に係る浴室の一部を概略的に示す断面図
【図７】さらに別の実施の形態に係る浴室の一部を示す概略的断面図
【図８】異なる実施の形態に係る浴室の一部を示す概略的断面図
【発明を実施するための形態】
【０００９】
本発明の一態様である浴室は、
浴室を画定する天井材または壁材の裏側に配置され、且つ、天井材または壁材に設けられた開口を介して浴室内に投影光を出射するプロジェクタと、
天井材または壁材の開口を塞ぎ、プロジェクタの投影光が透過するカバー部材と、
天井材または壁材に組み込まれ、浴室に送風して該浴室を乾燥させる浴室乾燥機と、を有し、
浴室乾燥機が、カバー部材の浴室内側表面に送風可能に構成されている。
【００１０】
このような構成によれば、浴室に画像をその室外から投影する場合において、良好な画像を投影することができる。
【００１１】
カバー部材と浴室乾燥機とが天井材に設けられ、浴室乾燥機が、カバー部材に向かうように、且つ、天井材の浴室内側表面に沿うように送風してもよい。コアンダ効果により、カバー部材に向かって十分量の送風を行うことができる。カバー部材の浴室内側表面での結露の発生をより抑制することができる。
【００１２】
カバー部材と浴室乾燥機を除く天井材に設けられた構造物が該カバー部材と浴室乾燥機との間に存在しないように、カバー部材と浴室乾燥機が天井材に設けられているのが好ましい。これにより、構造物によって妨害されることなく、浴室乾燥機から送風された空気の多くが、カバー部材に到達することができる。その結果、カバー部材での結露の発生をより確実に抑制することができる。
【００１３】
天井材の浴室内側表面における少なくともカバー部材と浴室乾燥機との間の部分が、平滑面であるのが好ましい。これにより、コアンダ効果が向上し、より多くの空気が天井材に沿ってカバー部材に到達することができる。
【００１４】
カバー部材の浴室内側表面が、水平に対して鋭角な角度で傾斜し、浴室乾燥機から近い側の縁部に比べて遠い側の縁部が下方に位置する傾斜面であってもよい。これにより、カバー部材の浴室内側表面における浴室乾燥機から遠い側の縁部に水滴が集合し、集合した水滴が浴室乾燥機からの送風によって吹き落される。
【００１５】
カバー部材の浴室内側表面が、撥水膜を備えてもよい。これにより、浴室乾燥機からの送風によってカバー部材の浴室内側表面がより乾燥される。
【００１６】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１７】
なお、発明者らは、当業者が本開示を十分に理解するために添付図面及び以下の説明を提供するものであって、これらによって特許請求の範囲に記載の主題を限定することを意図するものではない。
【００１８】
図１は、本発明の一実施の形態に係る浴室を概略的に示している。
【００１９】
図１に示すように、浴室１００は、天井材１０２と、複数の壁材１０４と、床材１０６とを有する。浴室１００は、これらの天井材１０２、複数の壁材１０４、および床材１０６によって画定されている。
【００２０】
また、浴室１００は、１つの壁材１０４の表側部分に、画像Ｐを投影するように構成されている。なお、本明細書において、天井材１０２や壁材１０４の表側は浴室１００の内部空間側を言い、裏側は内部空間の外部側を言う。
【００２１】
本実施の形態の場合、図１に示すように、壁材１０４に向かって画像Ｐを投影する画像投影システム１０が、天井材１０２の裏側に配置されている。天井材１０２の裏側に配置された画像投影システム１０から浴室１００内に画像Ｐを投影するために、天井材１０２には開口１０２ａが設けられている。また、天井材１０２の裏側に画像投影システム１０を配置するために利用される点検口の蓋（点検口蓋）１０２ｂが、天井材１０２に設けられている。
【００２２】
図２は、浴室１００の天井材１０２の裏側に配置された画像投影システム１０の概略的な部分断面図である。なお、図には、発明の理解を容易にするために、Ｘ−Ｙ−Ｚ座標系が示されている。Ｘ軸方向およびＹ軸方向は水平方向を示し、Ｚ軸方向は鉛直方向を示している。
【００２３】
図２に示すように、画像投影システム１０は、投影光Ｌを浴室１００の壁材１０４に向かって出射する（画像Ｐを投影する）プロジェクタ１２と、プロジェクタ１２を天井材１０２に取り付けるためのプロジェクタ取り付け部材１４と、天井材１０２の開口１０２ａを塞ぐカバー部材１６と、カバー部材１６を覆うケース部材１８とを有する。
【００２４】
本実施の形態の場合、図２に示すように、プロジェクタ取り付け部材１４は、その内部空間１４ａにプロジェクタ１２を収容することができる、例えば金属薄板から作製された蓋付きボックス状の部材である。また、プロジェクタ取り付け部材１４は、天井材１０２の裏側部分１０２ｃに、例えば、ねじや接着剤などによって固定される。このプロジェクタ取り付け部材１４は、プロジェクタ１２を吊り下げ支持する蓋状の天板部２０と、プロジェクタ１２が通過する上部開口を備えて天板部２０を支持するベース部２２と、天板部２０とプロジェクタ１２とを接続する複数の接続部２４を備える。なお、図２には、１つの接続部２４のみが示されている。
【００２５】
また、プロジェクタ取り付け部材１４のベース部２２は、投影光Ｌを出射するプロジェクタ１２の出射部１２ａが通過する貫通穴２２ａを備えている。
【００２６】
さらに、本実施の形態の場合、プロジェクタ１２は、出射部１２ａが斜め下方向に向いた状態でプロジェクタ取り付け部材１４の天板部２０に、複数の接続部２４を介して吊り下げ支持されている。具体的に言えば、天板部２０が水平姿勢から傾いた姿勢で、ベース部２２に支持されている。これにより、プロジェクタ１２は、天井材１０２の裏側から開口１０２ａを介して浴室１００内に向かって投影光Ｌを出射することができる。
【００２７】
このようなプロジェクタ取り付け部材１４によれば、プロジェクタ１２は、天井材１０２の裏側部分１０２ｃに取り付けられ、また、ほこりなどから保護される。また、プロジェクタ取り付け部材１４によって下側に傾いた姿勢で支持されることにより、プロジェクタ１２は、出射部１２ａから天井材１０２の開口１０２ａを介して浴室１００内に向かって投影光Ｌを出射することができる。
【００２８】
この天井材１０２の開口１０２ａは、天井材１０２の裏側に配置されたプロジェクタ１２から浴室１００内に画像Ｐを投影するためには必要である。しかし、開口１０２ａを通過して天井材１０２の裏側に移動した浴室１００内の湿気によってプロジェクタ１２に水滴が付着する可能性がある。特に、プロジェクタ１２の出射部１２ａに水滴が付着すると、浴室１００の壁材１０４の表側部分に良好な画像Ｐを投影することができない可能性がある。
【００２９】
プロジェクタ１２への水滴の付着を抑制するために、天井材１０２の開口１０２ａを塞ぐカバー部材１６が設けられている。
【００３０】
本実施の形態の場合、図２に示すように、カバー部材１６は、天井材１０２の開口１０２ａを塞ぐように、天井材１０２の裏側部分１０２ｃに対して取り付けられている。例えば、ねじや接着剤などによって天井材１０２にカバー部材１６は固定されている。また、カバー部材１６は、天井材１０２の浴室内側表面１０２ｄと略同一平面の浴室内側表面１６ａを備える。
【００３１】
また、カバー部材１６は、プロジェクタ１２の出射部１２ａから出射された投影光Ｌが透過するように、ガラス材料または樹脂材料から作製されている。
【００３２】
このようなカバー部材１６によれば、浴室１００から天井材１０２の裏側への蒸気の移動が抑制される。それにより、プロジェクタ１２への水滴の付着が抑制され、プロジェクタ１２は、カバー部材１６を介して、図１に示すように、浴室１００の壁材１０４の表側部分に良好な画像Ｐを投影することができる。
【００３３】
また、カバー部材１６の天井裏側の浴室外側表面１６ｂには、時間の経過とともに、天井材１０２の裏側空間内のほこりや虫など付着しやすい。その付着したほこりなどにより、浴室１００の壁材１０４の表側部分に良好な画像Ｐを投影できない可能性がある。
【００３４】
そこで、カバー部材１６の浴室外側表面１６ｂへのほこりなどの付着を抑制するために、カバー部材１６を覆うケース部材１８が、天井材１０２の裏側に配置されている。
【００３５】
具体的には、ケース部材１８は、図２に示すように、カバー部材１６を覆うように、またプロジェクタ１２の出射部１２ａを覆うように構成されて配置されている。また、ケース部材１８は、図２に示すように、プロジェクタ１２の出射部１２ａから天井材１０２の開口１０２ａに向かう投影光Ｌが通過し、天井材１０２の裏側空間から実質的に隔離された内部空間１８ａを形成する。すなわち、カバー部材１６の浴室外側表面１６ｂとプロジェクタ１２の出射部１２ａが、ケース部材１８の内部空間１８ａを臨んでいる。
【００３６】
このようなケース部材１８によれば、カバー部材１６の浴室外側表面１６ｂへのほこりなどの付着が、ケース部材１８がない場合に比べて抑制される。
【００３７】
一方、カバー部材１６の浴室内側表面１６ａには、結露が生じやすい。具体的には、浴室１００内の温度が天井材１０２の裏側空間の温度に比べて高く、その温度差が大きい場合、浴室１００側のカバー部材１６の浴室内側表面１６ａに結露が生じる、すなわち表面に水滴が付着することがある。カバー部材１６の表面１６ａに水滴が付着すると、その水滴によってプロジェクタ１２からの投影光Ｌが散乱し、浴室１００の壁材１０４の表側部分に良好な画像Ｐを投影できない可能性がある。
【００３８】
このカバー部材１６の結露対策として、図１に示すように浴室１００に設けられている浴室乾燥機５０が使用される。
【００３９】
図３および図４は、浴室乾燥機５０の構成を概略的に示す断面図である。図３は停止中の浴室乾燥機５０を示し、図４は運転中の浴室乾燥機５０を示している。
【００４０】
本実施の形態の場合、図３および図４に示す浴室乾燥機５０は、浴室１００内の湿気を帯びた空気を取り込み、その取り込んだ空気Ｆ１を加熱することによって乾燥し、そして乾燥した空気Ｆ２を浴室１００内に吹き出すように構成されている。
【００４１】
そのために、図３に示すように、浴室乾燥機５０は、一部が浴室１００に露出した状態で天井材１０２に組み込まれる筐体５２と、筐体５２内に配置されたクロスフローファン５４と、空気Ｆ１を加熱するための加熱装置５６と、加熱された（乾燥した）空気Ｆ２の風向を調整するルーバー５８とを有する。
【００４２】
図３に示すように、浴室乾燥機５０の筐体５２は、浴室１００内の空気Ｆ１を取り込むための空気取り込み口５２ａと、取り込んだ空気Ｆ２を吹き出すための空気吹き出し口５２ｂとを備える。なお、本実施の形態の場合、理由は後述するが、空気取り込み口５２ａが、空気吹き出し口５２ｂとカバー部材１６との間に存在しないように、筐体５２は天井材１０２に組み込まれている。
【００４３】
図３に示すように、空気取り込み口５２ａを介して筐体５２内に空気Ｆ１を取り込むために、クロスフローファン５４が筐体５２内に設けられている。図４に示すように、クロスフローファン５４が回転すると、空気取り込み口５２ａを介して筐体５２内に浴室１００内の空気Ｆ１が取り込まれる。
【００４４】
クロスフローファン５４によって筐体５２内に取り込まれた空気Ｆ１は、そのクロスフローファン５４によって空気吹き出し口５２ｂに送られる。そのクロスフローファン５４と空気吹き出し口５２ｂとの間の流路には、空気Ｆ１を加熱して乾燥させる、例えば熱交換器、電気ヒータなどの加熱装置５６が配置されている。この加熱装置５６によって乾燥された空気（乾燥空気）Ｆ２が、空気吹き出し口５２ｂを介して浴室１００内に送風される。
【００４５】
空気吹き出し口５２ｂを介して吹き出された乾燥空気Ｆ２は、空気吹き出し口５２ｂの近傍に設けられたルーバー５８によってその風向が調整される。本実施の形態のルーバー５８は、鉛直方向（Ｚ軸方向）と水平方向（Ｘ軸方向）との間で、乾燥空気Ｆ２の風向を調整する。
【００４６】
例えば、浴室乾燥機５０による浴室１００の乾燥中、ルーバー５８は、その姿勢を周期的に変更し、浴室１００全体に、加熱装置５６によって乾燥された乾燥空気Ｆ２を送風する。
【００４７】
また例えば、本実施の形態の場合、図１に示すようにプロジェクタ１２からの画像Ｐが浴室１００に投影されているとき、図４に示すように、浴室乾燥機５０は、乾燥空気Ｆ２をカバー部材１６に向かって送風するように構成されている。
【００４８】
例えば、プロジェクタ１２が作動すると、プロジェクタ１２から浴室乾燥機５０に向かって外部信号が送信される。外部信号を受信した浴室乾燥機５０は、クロスフローファン５４の回転を開始するとともに、加熱装置５６を始動させ、ルーバー５８を水平方向（Ｘ軸方向）に送風するための姿勢に変更する。
【００４９】
ルーバー５８によって方向付けされた乾燥空気Ｆ２は、カバー部材１６に向かうように、且つ、コアンダ効果によって天井材１０２の浴室内側表面１０２ｄに沿うように流れる。カバー部材１６に到達した乾燥空気Ｆ２は、カバー部材１６の浴室内側表面１６ａに沿って流れる。それにより、カバー部材１６の浴室内側表面１６ａが乾燥され、結露の発生が抑制される。その結果、カバー部材１６を介して、プロジェクタ１２は、浴室１００内に良好な画像を投影することができる。
【００５０】
図４に示すように、天井材１０２の浴室内側表面１０２ｄにおけるカバー部材１６と浴室乾燥機５０との間の部分には、点検口蓋１０２ｂなどの構造物が設けられていない。すなわち、カバー部材１６と浴室乾燥機５０を除く天井材１０２に設けられた構造物が該カバー部材１６と浴室乾燥機５０との間に存在しないように、これらのカバー部材１６と浴室乾燥機５０とが天井材１０２に設けられている。このことについて、図５を参照しながら説明する。
【００５１】
図５は、天井材１０２の浴室内側表面１０２ｄにおけるカバー部材１６と浴室乾燥機５０との間の部分に、ダウンライト７０、埋め込み型スピーカ７２、点検口蓋１０２ｂなどの構造物が設けられている場合を示している。このような点検口蓋１０２ｂなどの構造物は、コアンダ効果によってカバー部材１６に向かって天井材１０２の浴室内側表面１０２ｄに沿う乾燥空気Ｆ２の流れを阻害する。なお、他の構造物としては、例えば天井材１０２の継ぎ目や天井材１０２自体の凹凸などがある。
【００５２】
例えば、ダウンライト７０などのように天井材１０２の浴室内側表面１０２ｄに凹部を形成する構造物の場合、乾燥空気Ｆ２はその凹部内に流入する（空気Ｆ３のように）。また例えば、スピーカ７２や点検口蓋１０２ｂなどのように天井材１０２の浴室内側表面１０２ｄに凸部を形成する構造物の場合、乾燥空気Ｆ２は、天井材１０２から剥離する（空気Ｆ４、Ｆ５のように）。これらの結果、コアンダ効果によって天井材１０２に沿う乾燥空気Ｆ２の流れは、カバー部材１６に到達する前に、減衰するまたは消失する。その結果、カバー部材１６に十分量の乾燥空気Ｆ２が到達せず、カバー部材１６の浴室内側表面１６ａを十分に乾燥することができなくなる。
【００５３】
この対処として、カバー部材１６と浴室乾燥機５０を除く天井材１０２に設けられた構造物が該カバー部材１６と浴室乾燥機５０との間に存在しないように、これらのカバー部材１６と浴室乾燥機５０とが天井材１０２に設けられている。
【００５４】
コアンダ効果をさらに向上させるために、天井材１０２の浴室内側表面１０２ｄにおける少なくともカバー部材と浴室乾燥機との間の部分は、凹凸が少ない平滑面（滑らかな平面）であることが好ましい。これにより、浴室乾燥機５０から送風された乾燥空気Ｆ２のより多くが、天井材１０２の浴室内側表面１０２ｄに沿って流れ、カバー部材１６に到達することができる。なお、天井材１０２の浴室内側表面１０２ｄ全体が平滑面であってもよい。これに代わって、天井材１０２の浴室内側表面１０２ｄにおけるカバー部材１６と浴室乾燥機５０との間の部分だけ、例えば他の部分に使用される部材に比べて平滑な部材を用いることにより、またはコーティングすることにより、平滑化してもよい。
【００５５】
以上、このような本実施の形態によれば、プロジェクタ１２は、浴室１００の外部から浴室１００内に、カバー部材１６を介して、良好な画像Ｐを投影することができる。すなわち、天井材１０２の裏側に配置されたプロジェクタ１２の水滴が付着していない出射部１２ａから、結露の発生が抑制されるとともにほこりなどの付着が抑制されたカバー部材１６を介して、浴室１００の壁材１０４の表側部分に、良好な画像Ｐが投影される。
【００５６】
以上、上述の実施の形態を挙げて本発明を説明したが、本発明は上述の実施の形態に限定されない。
【００５７】
例えば、上述の実施の形態の場合、図４に示すように、カバー部材１６に向かう乾燥空気Ｆ２は、浴室乾燥機５０のルーバー５８によって方向付けされている。しかしながら、本発明の実施の形態は、これに限らない。
【００５８】
図６は、別の実施の形態に係る浴室の一部を示している。なお、上述の実施の形態における構成要素と実質的に同一の構成要素には、同一の符号が付されている。
【００５９】
図６に示すように、本実施の形態の場合、浴室乾燥機２５０は、乾燥空気Ｆ２を方向付けするルーバーを備えておらず、代わりに、空気吹き出し口２５２ｂが乾燥空気Ｆ２を方向付けするように構成されている。すなわち、空気吹き出し口２５２ｂは、天井材１０２の浴室内側表面１０２ｄ近傍で、カバー部材１６に向かって水平方向（Ｘ軸方向）に開口している。
【００６０】
このような空気吹き出し口２０２ｂから吹き出された乾燥空気Ｆ２は、天井材１０２の浴室内側表面１０２ｄに沿って流れ、カバー部材１６に到達する。カバー部材１６に到達した乾燥空気Ｆ２は、カバー部材１６の浴室内側表面１６ａに沿って流れる。それにより、カバー部材１６の浴室内側表面１６ａが乾燥され、結露の発生が抑制される。その結果、カバー部材１６を介して、プロジェクタ１２は、浴室１００内に良好な画像を投影することができる。
【００６１】
また例えば、上述の実施の形態の場合、図３および図４に示すように、カバー部材１６の浴室内側表面１６ａは、天井材１０２の浴室内側表面１０２ｄと同様に、水平方向（Ｘ軸方向）に延在している。しかしながら、本発明の実施の形態は、これに限らない。
【００６２】
図７は、さらに別の実施の形態に係る浴室の一部を示している。なお、上述の実施の形態における構成要素と実質的に同一の構成要素には、同一の符号が付されている。
【００６３】
図７に示すように、本実施の形態のカバー部材３１６は、水平（Ｘ軸方向）に対して鋭角な角度（例えば５度）で傾斜する浴室内側表面３１６ａを備える。この浴室内側表面３１６ａは、浴室乾燥機５０から近い側の縁部に比べて遠い側の縁部が下方に位置する傾斜面である。
【００６４】
このような傾斜した浴室内側表面３１６ａによれば、水平に延在する場合に比べて結露の発生をより抑制することができる。具体的に説明すると、その浴室内側表面３１６ａに付着した結露（水滴）は、重力によって浴室内側表面３１６ａにおける浴室乾燥機５０から遠い側の縁部に集合する。そして、その縁部に集合した水滴は、浴室乾燥機５０からの乾燥空気Ｆ２によってカバー部材３１６から吹き落される。その結果、浴室内側表面３１６ａがより乾燥される。
【００６５】
カバー部材３１６の浴室内側表面３１６ａにおける浴室乾燥機５０から遠い側の縁部に水滴がより集合するように、浴室内側表面３１６ａが撥水膜を備えてもよい。これにより、浴室内側表面３１６ａ上の水滴がその縁部に集合しやすくなる。
【００６６】
なお、撥水膜に関して言えば、図３および図４に示すように水平に延在するカバー部材１６の浴室内側表面１６ａにも、撥水膜を設けてもよい。この場合、撥水膜によってカバー部材１６との濡れ性が低いことにより、カバー部材１６に付着する水滴は気化しやすくなる。
【００６７】
また、図７に示すカバー部材３１６と異なり、浴室乾燥機５０の近い側の縁部が遠い側の縁部に比べて下方に位置するように、カバー部材の浴室内側表面は傾斜してもよい。
【００６８】
図８は、異なる実施の形態に係る浴室の一部を示している。なお、上述の実施の形態における構成要素と実質的に同一の構成要素には、同一の符号が付されている。
【００６９】
図８に示すように、カバー部材４１６は、水平（Ｘ軸方向）に対して鋭角な角度で傾斜する浴室内側表面４１６ａを備える。この浴室内側表面４１６ａは、浴室乾燥機５０から遠い側の縁部に比べて近い側の縁部が下方に位置する傾斜面である。この場合、浴室内側表面４１６ａに付着した結露（水滴）は、重力によって浴室内側表面４１６ａにおける浴室乾燥機５０から近い側の縁部に集合する。そして、その縁部に集合した水滴は、浴室乾燥機５０からの乾燥空気Ｆ２によってカバー部材４１６から吹き落される。
【００７０】
ただし、この場合、図８に示すように、カバー部材４１６は、天井材１０２の傾斜部１０２ｅに形成された開口１０２ａに設けられる。この傾斜部１０２ｅは、浴室乾燥機５０から近い側が遠い側に比べて下方に位置するように傾斜している。これにより、浴室乾燥機５０からの乾燥空気Ｆ２は、コアンダ効果により、天井材１０２の浴室内側表面１０２ｄに沿って流れ、次に、カバー部材４１６の浴室内側表面４１６ａに沿って流れ、そして、再び天井材１０２の浴室内側表面１０２ｄに沿って流れる。すなわち、カバー部材４１６の浴室内側表面４１６ａを通過するように乾燥空気Ｆ２が流れるので、カバー部材４１６全体が乾燥空気Ｆ２によって乾燥される。
【００７１】
さらに例えば、上述の実施の形態の場合、図３に示すように、カバー部材１６（すなわちプロジェクタ１２）と浴室乾燥機５０の両方は、浴室１００の天井材１０２に設けられている。しかしながら、本発明に係る実施の形態は、これに限らない。例えば、カバー部材と浴室乾燥機の両方が浴室の壁材に設けられてもよい。または、浴室の天井材にカバー部材が設けられ、壁材に浴室乾燥機が設けられてもよい。あるいは、浴室の壁材にカバー部材が設けられ、天井材に浴室乾燥機が設けられてもよい。
【００７２】
また、上述の実施の形態の場合、浴室乾燥機から乾燥空気がカバー部材に送風されるが、本発明に係る実施の形態は、これに限らない。浴室乾燥機は、浴室から取り込んだ空気を加熱せずに、カバー部材に向かって送風してもよい。カバー部材の浴室内側表面に沿って空気が流れることにより、結露の原因になるカバー部材への蒸気の接触が抑制される。
【００７３】
したがって、本発明の実施の形態に係る浴室は、浴室を画定する天井材または壁材の裏側に配置され、且つ、天井材または壁材に設けられた開口を介して室内に投影光を出射するプロジェクタと、天井材または壁材の開口を塞ぎ、プロジェクタの投影光が透過するカバー部材と、天井材または壁材に組み込まれ、浴室に送風して該浴室を乾燥させる浴室乾燥機と、を有し、浴室乾燥機が、カバー部材の浴室内側表面に送風可能に構成されている、浴室である。
【００７４】
以上のように、本発明における技術の例示として、実施形態を説明した。そのために、添付図面及び詳細な説明を提供した。したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７５】
また、前述の実施形態は、本発明における技術を例示するためのものであるから、特許請求の範囲又はその均等の範囲において種々の変更、置き換え、付加、省略などを行うことができる。
【産業上の利用可能性】
【００７６】
本発明は、高温多湿な室内に画像を投影する場合に適用可能である。
【符号の説明】
【００７７】
１２      プロジェクタ
１６      カバー部材
５０      浴室乾燥機
１００    浴室
１０２    天井材
１０２ａ  開口
【図１】
2018066242.tif 000003
【図２】
2018066242.tif 000004
【図３】
2018066242.tif 000005
【図４】
2018066242.tif 000006
【図５】
2018066242.tif 000007
【図６】
2018066242.tif 000008
【図７】
2018066242.tif 000009
【図８】
2018066242.tif 000010